(57)【要約】【課題】レンズ全体の縦方向の深度を小さくし、視角を拡大させることが可能なリアビューレンズを提供する。【解決手段】リアビューレンズ１は、後方視界部１０および後方視界補助部２０を備える。後方視界部１０は、背面に、後方視野Ｖ１を反射可能な反射層と、周辺部とを有する。後方視界補助部２０は、後方視界部１０の周辺部の左側の周辺、下側の周辺および左下側の周辺に接続され、正面および背面を有する。後方視界補助部２０は、背面に配列が連続した反射層を有し、当該反射層により後方視野Ｖ１の辺縁より外側の補助後方視野Ｖ２を反射する。【選択図】  図１
2011225199.tif 000002
【特許請求の範囲】
【請求項１】
正面または背面に、少なくとも一つの後方視野を反射可能な反射層と、周辺部とを有する後方視界部と、
前記周辺部の少なくとも一部分または全面に設けられ、正面または背面に配列が連続した反射層を有し、当該反射層により前記後方視野の辺縁より外側の補助後方視野を反射可能な少なくとも一つの後方視界補助部と、
を備えることを特徴とするリアビューレンズ。
【請求項２】
前記後方視界補助部の前記反射層は、波峰および波谷が形成される連続した波形であることを特徴とする請求項１に記載のリアビューレンズ。
【請求項３】
前記後方視界補助部の前記反射層は、前記波峰から前記後方視界補助部の前記正面または前記背面までの相対的に長い法線距離が前記後方視界部の厚さの範囲内であることを特徴とする請求項２に記載のリアビューレンズ。
【請求項４】
前記後方視界補助部の前記反射層は、前記波谷から前記後方視界補助部の前記正面または前記背面までの相対的に長い法線距離が前記後方視界部の厚さの範囲内であることを特徴とする請求項２に記載のリアビューレンズ。
【請求項５】
前記後方視界補助部の前記反射層は、傾斜率が一致するか漸増し、曲率半径が一致するか漸減することを特徴とする請求項１から４のいずれか一項に記載のリアビューレンズ。
【請求項６】
前記後方視界部および前記後方視界補助部の形状は、それぞれ、平面状、凸形状、または凹形状のいずれかであることを特徴とする請求項１から４のいずれか一項に記載のリアビューレンズ。
【請求項７】
前記後方視界部および前記後方視界補助部は、一体に形成されるか、または接続されて結合されることを特徴とする請求項１から４のいずれか一項に記載のリアビューレンズ。
【請求項８】
前記後方視界補助部の前記反射層は、前記後方視界補助部の前記正面または前記背面の形と一致し、前記後方視界補助部の前記正面または前記背面に付着することを特徴とする請求項１から４のいずれか一項に記載のリアビューレンズ。
【請求項９】
請求項１から４のいずれか一項に記載のリアビューレンズを備えることを特徴とするバックミラー。
【請求項１０】
請求項９に記載のバックミラーであって、
当該バックミラーの左右、上下、左上、左下、右上および右下のうちの少なくとも一側に、前記後方視界補助部が位置付けられることを特徴とするバックミラー。
【発明の詳細な説明】
【技術分野】
【０００１】
本発明は、リアビューレンズ、およびこれを用いたバックミラーに関する。
【背景技術】
【０００２】
従来のリアビューレンズは、視界を増加させるため、通常視界区域の側辺が、湾曲状または斜面状となるように形成されている。これにより、外側または下側の視角を増大させることが可能である。しかしながら、縦方向の深度およびサイズがレンズ自体の厚さよりも大きくなってしまうという欠点がある。このように、サイズおよび造形設計上の制限があるという欠点を抱えている。
【０００３】
上述に対し、湾曲成形加工または接続加工を採用しても不便を感じさせる。つまり上述した構成には改善の余地があるため、本発明者は研究開発および改良を積極的に進めた結果、本発明によるリアビューレンズ、およびバックミラーを完成させた。
【発明の概要】
【発明が解決しようとする課題】
【０００４】
本発明の主な目的は、レンズ全体の縦方向の深度を小さくし、かつ視角を適切に拡大させる機能を果たし、容易に製造および組み立て可能なリアビューレンズ、およびこれを用いたバックミラーを提供することにある。
【課題を解決するための手段】
【０００５】
上述の目的を達成するために、本発明によるリアビューレンズは、後方視界部および少なくとも一つの後方視界補助部を備える。後方視界部は正面または背面に、少なくとも一つの後方視野を反射可能な反射層と、周辺部とを有する。少なくとも一つの後方視界補助部は、後方視界部の周辺部の少なくとも一部分または全面に接続され、かつ正面および背面を有する。後方視界補助部は正面または背面に配列が連続した反射層を有し、反射層により後方視野の辺縁より外側の補助後方視野を反射することが可能である。
また、本発明によるバックミラーは、上述のリアビューレンズを備えることにより、相対的に広い視角を有することが可能である。
【図面の簡単な説明】
【０００６】
【図１】本発明の第１実施形態によるバックミラーの使用状態を示す模式図。
【図２】本発明の第１実施形態によるリアビューレンズを示す正面図。
【図３】本発明の第１実施形態によるリアビューレンズの一部分を示す平面図。
【図４】本発明の第１実施形態によるリアビューレンズおよびバックミラー上のデータを取る状態を示す模式図。
【図５】本発明の第１実施形態によるリアビューレンズの一部分を示す右側面図。
【図６】本発明の第２実施形態によるバックミラーを示す模式図。
【図７】本発明の第３実施形態によるバックミラーを示す模式図。
【図８】本発明の第４実施形態によるリアビューレンズを示す平面図。
【発明を実施するための形態】
【０００７】
以下、本発明の実施形態を図面に基づいて説明する。
（第１実施形態）
図１から図５に示すように、本発明の第１実施形態によるリアビューレンズ１は、バックミラー１００に装着され、かつ後方視界部１０および後方視界補助部２０を備える。
【０００８】
後方視界部１０は、正面１１および背面１２を有する（図３、５参照）。背面１２は、少なくとも一つの後方視野Ｖ１を反射可能な反射層１３と、周辺部１５とを有する。正面１１と背面１２との間には厚さＴ１が形成される。
【０００９】
後方視界補助部２０は、後方視界部１０の周辺部１５の少なくとも一部分または全面に接続される。本実施形態において、後方視界補助部２０はバックミラー１００の左側の周辺、下側の周辺および左下側の周辺に位置付けられる（図２参照）。後方視界部１０と後方視界補助部２０とは一体になる。後方視界補助部２０は正面２１および背面２２を有する。後方視界補助部２０は背面２２に若干の配列が連続した反射層２３を有し、反射層２３によって後方視野Ｖ１の辺縁より外側の補助後方視野Ｖ２を反射することが可能である。
【００１０】
後方視界補助部２０の反射層２３は、連続した波形であり、若干の波峰２５および波谷２６が形成される（図３参照）。本実施形態において、反射層２３は後方視界補助部２０の背面２２の形と一致し、かつ後方視界補助部２０の背面２２に付着する。
後方視界補助部２０の反射層２３の設計図のデータは、図４に示すように取得する。本実施形態では、横方向上の同じ距離によって選び出した若干の間隔Ｐで曲率半径Ｒを分割している。このため、外側に形成された傾斜率Ｍ２が内側に形成された傾斜率Ｍ１より大きい。これにより、後方視野がより広角になる。本発明において、傾斜率が同じでもよい。傾斜率が後方視界部１０の背面１２の傾斜率より大きければ、所定の後方視野を取得することが可能である。
【００１１】
上述した通り、本実施形態において、後方視界補助部２０の反射層２３は、傾斜率または曲率半径が後方視界部１０の傾斜率または曲率半径より大きい。
後方視界補助部２０の反射層２３は、波峰２５から後方視界補助部２０の正面２１までの法線距離Ｈ１が後方視界部１０の厚さＴ１の範囲内であるか、厚さＴ１よりやや大きい。後方視界補助部２０の反射層２３は波谷２６から後方視界補助部２０の正面２１までの法線距離Ｈ２が後方視界部１０の厚さＴ１の範囲内である。
【００１２】
後方視角補助区域２０の正面２１と後方視角区域１０の正面１１とは同じ（即ち厚さおよび平面が同じ）である。
【００１３】
本実施形態の部品の使用および原理は、次の通りである。
リアビューレンズ１が装着されているバックミラー１００を見る際、後方視角区域１０および後方視界補助部２０が同時に見える。後方視界部１０は後方視野Ｖ１を反射し、後方視界補助部２０は後方視野Ｖ１の辺縁より外側の補助後方視野Ｖ２を反射する。つまり本実施形態は、図１に示すように、バックミラー１００の左側、左下側および下側の補助後方視界Ｖ２を提供することが可能である。
【００１４】
つまり、左側、左下側および下側に見えた補助後方視野Ｖ２は、後方視界部１０の形および弧度が同じサイズまで延伸されて生成した視野にはみ出す。これは本発明により奏される効果である。
本発明は、後方視界補助部２０を製作する際、型による成形、レーザー加工または研磨成形などの方式を採用することができる。これらの方式による生産製造は利便性および迅速性を有する。
【００１５】
（第２実施形態）
図６に示すように、本発明の第２実施形態において、リアビューレンズ１Ａの後方視界部１０Ａおよび後方視界補助部２０Ａは凸形状を呈する。
【００１６】
（第３実施形態）
図７に示すように、本発明の第３実施形態において、リアビューレンズ１Ｂの後方視界部１０Ｂおよび後方視界補助部２０Ｂは凹形状を呈する。後方視界部および後方視界補助部は、それぞれ平面状、凸形状、または凹形状の任意の組み合わせとすることが可能である。
上述した通り、本発明において、後方視界補助部の反射層の傾斜率または曲率半径は、後方視界部の傾斜率または曲率半径に等しいか、またはそれより小さい。
【００１７】
（第４実施形態）
図８に示すように、本発明の第４実施形態において、リアビューレンズ１Ｃの後方視界部１０Ｃの反射層１３Ｃは背面１２Ｃでなく正面１１Ｃに位置する。同様に後方視界補助部２０Ｃ上の若干の配列が連続した構成および反射層２３Ｃは背面２２Ｃでなく正面２１Ｃに位置することが可能である。
【００１８】
（他の実施形態）
本発明は、さらに実施形態を変更することが可能である。例えば後方視角補助区域の反射層に対し傾斜率を漸増させるか曲率半径を漸減させることが可能である。
【００１９】
また、後方視角区域と後方視界補助部とを一体にするほかに、互いに接続させることが可能である。つまり後方視界部は一枚のレンズから構成され、後方視界補助部は別の一枚のレンズから構成される。製作する際、後方視界部と後方視界補助部とを別々に加工し、そののち接続するか、結合させる。
【００２０】
さらにまた、後方視界補助部は、バックミラーの左右、上下、左上、左下、右上および右下のうちの少なくとも一側または両側以上の組み合わせに位置することによって視野拡大が必要な位置に対応することが可能である。
【００２１】
また、後方視界補助部は、バックミラーの左上、左下、右上および右下に位置する反射層が前述した通り円弧状に接続されるほかに、直線状または別の幾何学的線状に接続されてもよい。つまり、後方視界補助部はバックミラーの左上側、左下側、右上側および右下側のうちの少なくとも一側が円弧状、直線状または別の幾何学的線状となるため、本発明の所期の効果を達成することが可能である。
【００２２】
上述の通り、本発明によるリアビューレンズおよびこれを用いたバックミラーは、後方視界補助部の正面または背面に若干の配列が連続した構成および反射層構成を有するように設計されるため、レンズ全体の縦方向の深度を小さくし、かつ視角を適切に拡大させる機能を果たすことが可能なだけでなく、製造および組み立ての便をはかることが可能である。
【００２３】
以上、本発明は、上記実施形態になんら限定されるものではなく、発明の趣旨を逸脱しない範囲において種々の形態で実施可能である。
【符号の説明】
【００２４】
１、１Ａ、１Ｂ、１Ｃ        ・・・  リアビューレンズ
１０、１０Ａ、１０Ｂ、１０Ｃ・・・  後方視界部
１１、１１Ｃ                ・・・  正面
１２，１２Ｃ                ・・・  背面
１３、１３Ｃ                ・・・  反射層
１５                        ・・・  周辺部
２０、２０Ａ、２０Ｂ、２０Ｃ・・・  後方視界補助部
２１、２１Ｃ                ・・・  正面
２２、２２Ｃ                ・・・  背面
２３、２３Ｃ                ・・・  反射層
２５                        ・・・  波峰
２６                        ・・・  波谷
１００                      ・・・  バックミラー
Ｈ１                        ・・・  法線距離
Ｈ２                        ・・・  法線距離
Ｍ１                        ・・・  傾斜率
Ｍ２                        ・・・  傾斜率
Ｐ                          ・・・  間隔
Ｒ                          ・・・  曲率半径
Ｔ１                        ・・・  厚さ
Ｖ１                        ・・・  後方視野
Ｖ２                        ・・・  補助後方視野
【図１】
2011225199.tif 000003
【図２】
2011225199.tif 000004
【図３】
2011225199.tif 000005
【図４】
2011225199.tif 000006
【図５】
2011225199.tif 000007
【図６】
2011225199.tif 000008
【図７】
2011225199.tif 000009
【図８】
2011225199.tif 000010